(57)【特許請求の範囲】
【請求項１】
カードが挿入されると共に前記カードの導電パッドに接触するコンタクトを取り付けたハウジングと、該ハウジングに配置されてカード排出方向にカードを排出するプッシュ−プッシュ式のイジェクト機構とを備え、該イジェクト機構が、前記カードの前部に当接し、前記カード排出方向にばね部材により付勢され、嵌合位置、押圧位置及び排出位置間を移動可能なスライダと、カム機構とを備えたカード用コネクタにおいて、
前記スライダは、前記排出位置よりも後方へ突出した引き出し位置に移動可能であると共に、前記スライダと一体に形成され、前記カードに当接するよう前記カードの後端辺に沿って延びる突出部を有し、
前記スライダは、カム基台部を一体に有し、
前記カム機構は、前記カム基台部上に形成されたハート形のカム溝と、該カム溝に沿って揺動するカムロッドとから構成され、前記カム溝は、前後方向に延びる直線状部と、該直線状部の後端から幅方向外側にそれる第１迂回部と、前記直線状部の後端から幅方向内側にそれる第２迂回部と、前記第１迂回部及び前記第２迂回部を連結する連結部とを有することを特徴とするカード用コネクタ。
【請求項２】
前記突出部が、爪との係合部を有することを特徴とする請求項１記載のカード用コネクタ。
【請求項３】
前記突出部が、前記カードの幅方向一端側から幅方向略中央部に至るまで前記カードの後端辺に沿って延びていることを特徴とする請求項１又は２記載のカード用コネクタ。
【請求項４】
前記突出部が、前記カードの幅方向一端側から幅方向他端側に至るまで前記カードの後端辺に沿って延びていることを特徴とする請求項１又は２記載のカード用コネクタ。
【発明の詳細な説明】
【技術分野】
【０００１】
本発明は、ＳＩＭカード（Ｓｕｂｓｃｒｉｂｅｒ  Ｉｄｅｎｔｉｔｙ  Ｍｏｄｕｌｅ  Ｃａｒｄ）等の小型のカードが接続されるカード用コネクタに関する。
【背景技術】
【０００２】
従来、メモリカード等のカードが接続されるカード用コネクタとしては、いわゆるプッシュ−プッシュ式のイジェクト機構を採用したものが知られている（特許文献１参照）。
この特許文献１に記載されたカード用コネクタは、カードが挿入されると共に複数のコンタクトを取り付けたハウジングと、ハウジングに配置されてカード排出方向にカードを排出するプッシュ−プッシュ式のイジェクト機構とを備えている。そして、このイジェクト機構は、カードの先端に当接し、カード排出方向にばね部材により付勢されてカードを排出するスライダと、スライダをカード排出方向に沿った嵌合位置及び排出位置に静止させるカム機構とを備えている。
【０００３】
そして、このプッシュ−プッシュ式のイジェクト機構を備えたカード用コネクタにおいては、スライダが排出位置（最も後退した位置）にあるときにカードを挿入する。カードを挿入すると、カードの前端がスライダに当接する。この時点でカードの後端がコネクタから突出する。そして、更にカードの後端を押圧すると、スライダが前進して嵌合位置となり、カードとコンタクトとが電気的に接続され、カードの挿入が完了する。カードを排出する際には、カード挿入完了状態からカードを再度押圧してカードを離す。すると、ばね部材の作用によりスライダが後退して排出位置になり、カードもスライダとともに後退する。これにより、カードがコネクタから突出し、カードを排出することができる。
【先行技術文献】
【特許文献】
【０００４】
【特許文献１】特開２００５−３５３３７２号公報
【発明の概要】
【発明が解決しようとする課題】
【０００５】
ところで、近年、携帯電話で使われている電話加入者を特定するための固有のＩＤ番号が記録されたＩＣカードとして、いわゆるＳＩＭカードが普及している。このＳＩＭカードは、元来、カード用コネクタに対して頻繁に挿入及び排出をすることを想定したものではなかった。しかし、最近は、カード用コネクタに対して頻繁に挿入及び排出をする用途が求められるようになってきた。
【０００６】
ＳＩＭカードは、特許文献１に記載されているカード用コネクタに接続されるカードと比べてその大きさが小さい。特に、ｍｉｃｒｏ−ＳＩＭカードと呼ばれているものは、その外形寸法が、幅１５ｍｍ、奥行き１２ｍｍ、厚み０．７６ｍｍである。
従って、特許文献１に記載されているカード用コネクタを採用して、小型のＳＩＭカードを挿入及び排出を行おうとすると、カードの挿入及び排出の操作性が極めて困難なものとなってしまう。
【０００７】
つまり、特許文献１に記載されているカード用コネクタにおいては、カードをカード用コネクタに挿入し、カードの前端がスライダに当接した時点（スライダが排出位置にある時点）でカードの後端がコネクタから突出することになる。ここで、カードが小型のＳＩＭカードであると、その突出長が極めて小さい。この状態で更に手操作でカードの後端を押圧する必要があるが、カードの突出長が小さく、かつ、カード以外の操作部材がないため、カード挿入の操作性は困難を極めてしまう。
【０００８】
また、カードの排出時においても、スライダの排出位置において、カードはコネクタから突出している。この際に、カードが小型のＳＩＭカードであると、その突出長が極めて小さい。この状態で手操作によりカードを排出する必要があるが、カードの突出長が小さく、かつ、カード以外の操作部材がないため、カード排出の操作性は困難を極めてしまう。
従って、本発明は、上述の問題点に鑑みてなされたものであり、その目的は、ＳＩＭカード等の小型のカードの挿入及び排出の操作性を向上させた、いわゆるプッシュ−プッシュ式のイジェクト機構を備えたカード用コネクタを提供することにある。
【課題を解決するための手段】
【０００９】
上記目的を達成するために、本発明のうち請求項１に係るカード用コネクタは、カードが挿入されると共に前記カードの導電パッドに接触するコンタクトを取り付けたハウジングと、該ハウジングに配置されてカード排出方向にカードを排出するプッシュ−プッシュ式のイジェクト機構とを備え、該イジェクト機構が、前記カードの前部に当接し、前記カード排出方向にばね部材により付勢され、嵌合位置、押圧位置及び排出位置間を移動可能なスライダと、カム機構とを備えたカード用コネクタにおいて、前記スライダは、前記排出位置よりも後方へ突出した引き出し位置に移動可能であると共に、前記スライダと一体に形成され、前記カードに当接するよう前記カードの後端辺に沿って延びる突出部を有し、前記スライダは、カム基台部を一体に有し、前記カム機構は、前記カム基台部上に形成されたハート形のカム溝と、該カム溝に沿って揺動するカムロッドとから構成され、前記カム溝は、前後方向に延びる直線状部と、該直線状部の後端から幅方向外側にそれる第１迂回部と、前記直線状部の後端から幅方向内側にそれる第２迂回部と、前記第１迂回部及び前記第２迂回部を連結する連結部とを有することを特徴としている。
【００１０】
また、本発明のうち請求項２に係るカード用コネクタは、請求項１記載のカード用コネクタにおいて、前記突出部が、爪との係合部を有することを特徴としている。
更に、本発明のうち請求項３に係るカード用コネクタは、請求項１又は２記載のカード用コネクタにおいて、前記突出部が、前記カードの幅方向一端側から幅方向略中央部に至るまで前記カードの後端辺に沿って延びていることを特徴としている。
また、本発明のうち請求項４に係るカード用コネクタは、請求項１又は２記載のカード用コネクタにおいて、前記突出部が、前記カードの幅方向一端側から幅方向他端側に至るまで前記カードの後端辺に沿って延びていることを特徴としている。
【発明の効果】
【００１１】
本発明に係るカード用コネクタによれば、スライダは、排出位置よりも後方へ突出した引き出し位置に移動可能であると共に、スライダと一体に形成され、カードに当接するようカードの後端辺に沿って延びる突出部を有する。このため、カードの挿入操作においては、スライダが排出位置よりも後方へ突出した引き出し位置で、カードをハウジング内に挿入し、カードの前部をスライダに当接させるとともにカードの後端辺をスライダの突出部に当接させる。そして、スライダの突出部を後側から押圧し、スライダ及びカードを前進させることにより、カードを挿入できる。従って、カードの挿入に際し、ハウジングの後端部からスライダの突出部を含む後端部までの突出長が長い状態でスライダの突出部を後側から押圧すればよい。このため、カードがＳＩＭカード等の小型のカードであってもカードの挿入操作を容易に行うことができる。また、カードを直接押すことなく、カードの後端辺に当接したスライダの突出部を押すので、突出部の分だけ突出長を長くでき、カードの挿入操作を容易に行うことができる。
【００１２】
また、カード挿入完了状態において、スライダの突出部が、カードの後端辺に当接しているため、カードの引き抜きを防止することができる。また、カードの引き抜きを防止する突出部は、スライダと一体に形成されているから、カードの引き抜きを防止するための別部品を設ける必要はない。また、カードの引き抜きを防止するためにカードに切欠等を形成する必要はない。
【００１３】
更に、カードの排出時には、スライダの排出位置からスライダの突出部を後方へ引くことにより、スライダを引き出し位置に位置させ、この状態で、カードを持ち上げてスライダから取り出す。スライダの引き出し位置では、ハウジングの後端部からスライダの突出部を含む後端部までの突出長が排出位置での突出長よりも長いので、カードがＳＩＭカード等の小型のカードであってもカードの排出操作を容易に行うことができる。
【図面の簡単な説明】
【００１４】
【図１】本発明に係るカード用コネクタの実施形態を示す斜視図である。但し、カム機構を表すためシェルの一部は切欠いてある。
【図２】図１に示すカード用コネクタからシェルを取り外した状態の斜視図である。
【図３】図１に示すカード用コネクタの平面図である。但し、カム機構を表すためシェルの一部は切欠いてある。
【図４】図１に示すカード用コネクタからシェルを取り外した状態の平面図である。
【図５】図１に示すカード用コネクタにカードを挿入する工程を示すもので、スライダが引き出し位置にあるときのカードが挿入された状態の模式図である。
【図６】図１に示すカード用コネクタにカードを挿入する工程を示すもので、スライダが排出位置にあるときのカードが挿入された状態の模式図である。
【図７】図１に示すカード用コネクタにカードを挿入する工程を示すもので、スライダが押圧位置にあるときのカードが挿入された状態の模式図である。
【図８】図１に示すカード用コネクタにカードを挿入する工程を示すもので、スライダが嵌合位置にあるときのカードが挿入された状態の模式図である。
【図９】図１に示すカード用コネクタに用いられるスライダの斜視図である。
【図１０】図１に示すカード用コネクタに用いられるスライダの変形例の斜視図である。
【図１１】図１に示すカード用コネクタに用いられるスライダの別の変形例を用いたカード用コネクタの平面図である。
【発明を実施するための形態】
【００１５】
以下、本発明に係るカード用コネクタの実施形態を図面を参照して説明する。
図１乃至図４に示すカード用コネクタ１は、ＳＩＭカード等の小型のカードＣ（図５参照）が挿入及び排出されるものである。カードＣは、カードＣを基準として後方（図５における下方）から前方（図５における上方）へ挿入される。以下、図５における「下」を「後」、図５における「上」を「前」とする。
【００１６】
カード用コネクタ１は、カードＣが挿入されるハウジング１０と、複数のコンタクト２０と、カード検知スイッチ機構３０と、プッシュ−プッシュ式のイジェクト機構４０と、金属製のシェル８０とを備えている。
ここで、ハウジング１０は、略矩形状に形成され、上側から取り付けられるシェル８０との間にカードＣが挿入されるカード挿入空間１５を有する。ハウジング１０の底板部には、コンタクト２０が上方に突出するための複数の開口１１が設けられている。ハウジング１０は、絶縁性の合成樹脂を成形することによって形成される。
【００１７】
また、複数のコンタクト２０は、ハウジング１０の幅方向（図３における左右方向）に沿って複数列状（本実施形態にあっては２列状）にハウジング１０に取り付けられる。各コンタクト２０は、導電性金属板を打抜き及び曲げ加工することによって形成される。各コンタクト２０の接触部は、ハウジング１０の開口１１から上方、即ちカード挿入空間１５内に突出し、当該カード挿入空間１５に挿入されるカードＣの導電パッドＣ１（図５参照）に接触する。各コンタクト２０の基板接続部は、ハウジング１０の下方に延びて図示しない回路基板に接続される。
【００１８】
カード検知スイッチ機構３０は、ハウジング１０の前端（図５における上端）にある基部１２に取り付けられた金属製の第１端子３１と、シェル８０の前端に設けられた金属製の第２端子３２とからなる。第１端子３１と第２端子３２とは互いに接触可能となっている。
イジェクト機構４０は、いわゆるプッシュ−プッシュ式と呼ばれるものであり、ハウジング１０に配置されてカード排出方向（前から後方向）にカードＣを排出するものである。このイジェクト機構４０は、図２乃至図４に示すように、スライダ５０と、カム機構６０とから構成されている。
【００１９】
スライダ５０は、ハウジング１０の幅方向一端側（図１においては右端側）に配置され、図５に示す引き出し位置、図６に示す排出位置、図７に示す押圧位置、及び図８に示す嵌合位置間を移動可能になっている。スライダ５０は、図２及び図４に示すように、ハウジング１０とスライダ５０との間に配置されたばね部材７０によりカード排出方向に付勢される。
【００２０】
スライダ５０は、図２及び図９に示すように、ハウジング１０の前後方向に延びる断面略矩形状のスライダ基部５１と、スライダ基部５１の幅方向外側に設けられたカム基台部５８とを備えている。スライダ５０は、内部に金属部材をイサート成形して製造される。金属部材をイサート成形することにより、スライダ５０の機械的強度を向上させることができる。そして、基部５１の前端であってカム基台部５８の幅方向内側には、ばね部材７０を配置するための切欠５２が形成されている。そして、この切欠５２には、ばね部材７０を支持するための支持突起５３が前方に向けて突出形成されている。ばね部材７０は、スライダ５０に設けられた支持突起５３と、ハウジング１０の前壁に設けられた支持突起１３とにより両端が支持される。
【００２１】
また、スライダ基部５１の前端には、幅方向内側に向けて突出する突起部５７が設けられ、スライダ基部５１の後端には、幅方向内側に向けて突出する突出部５４が設けられている。突起部５７は、スライダ基部５１と一体に形成され、図５に示す位置で、カードＣが挿入された際に、カードＣの前部が当接する。一方、突出部５４は、スライダ基部５１と一体に形成され、図５に示すように、カードＣが挿入された際に、カードＣに当接するようにカードＣの後端辺に沿って延びている。そして、突出部５４は、カードＣの幅方向一端側から幅方向略中央部に至るまでカードＣの後端辺に沿って延びている。また、突出部５４の上面には、指の爪との係合部５５が設けられている。この係合部５５の形状は、図３、図４、及び図９に示すように、その外形が上方から見て円弧を直線状部で切断した形状で、これを突出部５４の上面から凹ませた略円弧状凹部５５ａである。
【００２２】
また、カム機構６０は、図４に示すように、ハート形のカム溝５６と、カム溝５６に沿って揺動するカムロッド６１とから構成されている。カム溝５６は、図４に示すように、スライダ５０のカム基台部５８の上面に形成され、前後方向に延びる直線状部５６ａを備えている。また、カム溝５６は、直線状部５６ａの後端から幅方向外側にそれる迂回部５６ｂと、直線状部５６ａの後端から幅方向内側にそれる迂回部５６ｄと、迂回部５６ｂと迂回部５６ｄとをつなぐ連結部５６ｃとを備えている。一方、カムロッド６１は、図４に示すように、ハウジング１０の後端部１４に揺動自在に軸支され、カムロッド６１の前端部がカム溝５６に沿って揺動するようになっている。カムロッド６１は、直線状の金属棒の両端を同一方向に折り曲げて形成される。
【００２３】
また、シェル８０は、金属板を打抜き及び曲げ加工することによって形成され、ハウジング１０の上面を覆う略平板状に形成される。そして、シェル８０の幅方向両側壁部及び前壁によりハウジング１０に固定される。このシェル８０には、図５乃至図８に示すように、カムロッド６１を上方から押える舌片８１が設けられている。
【００２４】
次に、本発明の作用について図５乃至図８を参照して説明する。
先ず、ハウジング１０内にカードＣが挿入されておらず、カードＣを挿入するときには、スライダ５０を引いて、図５に示す引き出し位置に位置させる。この引き出し位置は、後述するスライダ５０の排出位置よりもスライダ５０を後方へ引き出した位置で、ハウジング１０の後端部からスライダ５０の突出部５４を含む後端部までの突出長がＳ１となっている。このスライダ５０の引き出し位置においては、カムロッド６１の前端部がカム溝５６の直線状部５６ａの前端部に当接しており、スライダ５０の更なる引き出しは阻止されている。また、ばね部材７０の付勢力は働いていない。
【００２５】
この状態で、カードＣを斜めにしてハウジング１０の後側からハウジング１０内に挿入し、カードＣの前部をスライダ５０の突起部５７に当接させるとともにカードＣの後端辺をスライダ５０の突出部５４に当接させる。
そして、スライダ５０の突出部５４を後側から押圧し、スライダ５０及びカードＣを前進させる。すると、スライダ５０及びカードＣは図６に示す排出位置に位置する。この排出位置は、カムロッド６１の前端部がカム溝５６の直線状部５６ａに位置した状態で、ハウジング１０の後端部からスライダ５０の突出部５４を含む後端部までの長さがＳ１より短いＳ２となっている。
【００２６】
スライダ５０の押圧を続行し、スライダ５０がハウジング１０の前壁に当接するまでスライダ５０及びカードＣを前進させる。すると、スライダ５０及びカードＣは図７に示す押圧位置に位置する。この押圧位置は、カムロッド６１の前端部がカム溝５６の迂回部５６ｂの最後端に位置した状態で、ハウジング１０の後端部からスライダ５０の突出部５４を含む後端部までの突出長がＳ２より短いＳ３となっている。この状態では、ばね部材７０は最も付勢力が大きい状態に圧縮されている。
【００２７】
この状態で、スライダ５０の突出部５４から手を離すと、ばね部材７０の作用により、スライダ５０がカード排出方向（後方向）に付勢され、カードＣもスライダ５０とともにカード排出方向に移動し、図８に示す嵌合位置となる。この嵌合位置では、カムロッド６１の前端部がカム溝５６の連結部５６ｃに位置し、スライダ５０の前後方向の移動は規制される。スライダ５０の嵌合位置では、ハウジング１０の後端部からスライダ５０の突出部５４を含む後端部までの突出長がＳ３より長いＳ４となっている。そして、この嵌合位置で、カードＣの挿入が完了し、カードＣの下面に形成された導電パッドＣ１にコンタクト２０の接触部が接触する。
【００２８】
このカードＣの挿入が完了した状態、即ち、スライダ５０の嵌合位置では、前述したように、カムロッド６１の前端部がカム溝５６の連結部５６ｃに位置し、スライダ５０の前後方向の移動は規制されている。そして、スライダ５０の突出部５４が、図８に示すように、カードＣの後端辺に当接している。この突出部５４のカードＣの後端辺に対する当接作用により、カードＣの引き抜きを防止することができる。また、カードＣの引き抜きを防止する突出部５４は、スライダ５０と一体に形成されているから、カードＣの引き抜きを防止するための例えばロックばね等の別部品を設ける必要はない。また、カードＣの引き抜きを防止するためにカードＣに切欠等を形成する必要はない。
【００２９】
以上で述べたカードＣの挿入操作においては、スライダ５０が排出位置よりも後方へ突出した引き出し位置で、カードＣをハウジング１０内に挿入し、カードＣの前部をスライダ５０の突起部５７に当接させるとともにカードＣの後端辺をスライダ５０の突出部５０に当接させる。引き出し位置では、ハウジング１０の後端部からスライダ５０の突出部５４を含む後端部までの突出長Ｓ４が排出位置での突出長Ｓ３よりも長い。この状態で、スライダ５０の突出部５４を後側から押圧し、スライダ５０及びカードＣを前進させる。従って、カードＣの挿入に際し、ハウジング１０の後端部からスライダ５０の突出部５４を含む後端部までの突出長が長い状態でスライダ５０の突出部５４を後側から押圧すればよい。このため、カードＣがＳＩＭカード等の小型のカードであっても、カードの挿入操作を容易に行うことができる。また、カードＣを直接押すことなく、カードＣの後端辺に当接したスライダ５０の突出部５４を押すので、突出部５４の分だけ突出長を長くでき、カードの挿入操作を容易に行うことができる。
【００３０】
一方、カードＣの排出を行うときには、図８に示す嵌合位置の状態からスライダ５０の突出部５４を再度押圧してスライダ５０がハウジング１０の前壁に当接するまでスライダ５０及びカードＣを前進させる。すると、スライダ５０及びカードＣは、図７に示す押圧位置になる。このとき、カムロッド６１の前端部がカム溝５６の迂回部５６ｄの最後端に位置する。
【００３１】
そして、この状態で、スライダ５０の突出部５４から手を離すと、ばね部材７０の作用により、スライダ５０がカード排出方向（後方向）に付勢され、カードＣもスライダ５０とともにカード排出方向に移動し、図６に示す排出位置となる。この排出位置では、カムロッド６１の前端部がカム溝５６の直線状部５６ａに位置する。そして、カードＣの下面に形成された導電パッドＣ１とコンタクト２０の接触部との接触状態が解除される。
【００３２】
更に、この状態から、スライダ５０の突起部５４を後方へ引く。すると、スライダ５０及びカードＣが図５に示す引き出し位置に位置する。この状態で、カードＣを持ち上げてスライダ５０から取り出す。これにより、カードＣを取り出すことができる。
ここで、スライダ５０の引き出し位置では、ハウジング１０の後端部からスライダ５０の突出部５４を含む後端部までの突出長Ｓ１が排出位置での突出長Ｓ２よりも長い。この状態で、カードＣを持ち上げてスライダ５０から取り出すので、カードＣがＳＩＭカード等の小型のカードであってもカードの排出操作を容易に行うことができる。
【００３３】
ここで、スライダ５０及びカードＣを図５に示す引き出し位置に位置させる際に、カードＣの後端辺に当接している突出部５４を後方へ引けばよいから、スライダ５０及びカードＣの引き出し操作を容易に行うことができる。
また、突起部５４には、爪との係合部５５が形成されている。このため、スライダ５０及びカードＣの引き出し操作の際に、指の爪を係合部５５に係合させて突出部５４を引けばよい。これにより、スライダ５０及びカードＣの引き出し操作をより容易に行うことができる。即ち、係合部５５を構成する略円弧状凹部５５ａに指の爪を引っ掛けて突出部５４を引けばよい。
【００３４】
また、スライダ５０の突出部５４は、カードＣの幅方向一端側から幅方向略中央部に至るまでカードＣの後端辺に沿って延びている。このため、引き出し位置に引き出されたスライダ５０からカードＣを取り出す際に、突出部５４が存在しないカードＣの幅方向他端部からカードＣにアクセスできる。従って、カードＣをスライダ５０から容易に取り出すことができる。
【００３５】
次に、図１０を参照してスライダの変形例について説明する。図１０において、図９と同一の部材には同一の符号を付し、その説明は省略する。
図１０に示すスライダ５０は、図９に示すスライダ５０と基本構成は同様であるが、係合部５５の形状が相違している。
即ち、図１０に示すスライダ５０の係合部５５は、突出部５４が延びる全域にわたって突出部５４の後側上面から上方に隆起した隆起部５５ｂで形成されている。図１０に示すスライダ５０によれば、スライダ５０及びカードＣの引き出し操作の際に、係合部５５を構成する隆起部５５ｂに指の爪を係合させて突出部５４を引けばよい。これにより、スライダ５０及びカードＣの引き出し操作を容易に行うことができる。
【００３６】
また、図１１を参照してスライダの別の変形例について説明する。図１１において、図１乃至図９と同一の部材には同一の符号を付し、その説明は省略する。
図１１に示すカード用コネクタ１に用いられるスライダ５０は、図１乃至図９に示すスライダ５０と基本構成は同様であるが、突出部５４の形状が相違している。
即ち、図１１におけるスライダ５０の突出部５４は、カードＣの幅方向一端側から幅方向他端側に至るまでカードＣの後端辺に沿って延びている。このように、突出部５４を、カードＣの幅方向一端側から幅方向他端側に至るまで延ばすことにより、例えば、携帯電話等の筐体９０の開口９１からカード用コネクタ１に対してカードＣを挿抜するように実装した際に、突出部９４が開口９１に対する蓋としての機能を併せ持つことができる。
【００３７】
以上、本発明の実施形態について説明してきたが、本発明はこれに限定されずに種々の変更、改良を行うことができる。
例えば、カード用コネクタ１に挿入されるカードＣとしては、小型のものであれば、ＳＩＭカードに限定されない。
また、突出部５４は、カードＣに当接するようカードＣの後端辺に沿って延びていればよく、必ずしもカードＣの幅方向一端側から幅方向略中央部に至るまで、あるいはカードＣの幅方向一端側から幅方向他端側に至るまで延びていなくてもよい。
また、スライダ５０は、内部に金属部材をインサート成形して製造される必要はなく、合成樹脂のみを成形することによって製造されてもよい。
【符号の説明】
【００３８】
１  カード用コネクタ
１０  ハウジング
２０  コンタクト
４０  イジェクト機構
５０  スライダ
５４  突出部
５５  係合部
７０  ばね部材
Ｃ  カード
Ｃ１  導電パッド
【図１】
0005681524.tif 000002
【図２】
0005681524.tif 000003
【図３】
0005681524.tif 000004
【図４】
0005681524.tif 000005
【図５】
0005681524.tif 000006
【図６】
0005681524.tif 000007
【図７】
0005681524.tif 000008
【図８】
0005681524.tif 000009
【図９】
0005681524.tif 000010
【図１０】
0005681524.tif 000011
【図１１】
0005681524.tif 000012